(57)【要約】【課題】不法侵入者が建物に近づくことを抑止して防犯性の高い電動シャッター装置を提供すること。【解決手段】電動シャッター装置１は、案内溝４０ａに沿って移動可能且つ両端部を結ぶ軸線の回りに回転不能とされて案内溝４０ａに沿った方向にて互いに連結された複数のスラット１０、スラット１０に連結されていて下枠５０に当接する座板１１、及び、隣接するスラット１０が案内溝４０ａに沿った方向にて相対移動することに伴って開口するようにスラット１０に設けられた開口部１２、からなり、窓部Ｍを開放し又は閉鎖するシャッターカーテン２０を備えている。又、電動シャッター装置１は、座板１１が下枠５０に当接した状態で、隣接するスラット１０を相対移動させて開口部１２を間欠的に開閉させる開閉制御部６３を有する。【選択図】図１
2019085853.tif 000002
【特許請求の範囲】
【請求項１】
建物の建物開口の一側から他側に向けて延設された案内溝を有するガイドレールと、
帯状の両端部が前記案内溝に係合していて前記案内溝に沿って移動可能且つ前記両端部を結ぶ軸線の回りに回転不能とされて前記案内溝に沿った方向にて互いに連結された複数のスラット、前記スラットに連結されていて前記他側に当接する座板、及び、隣接する前記スラットが前記案内溝に沿った方向にて相対移動することに伴って開口するように前記スラットに設けられた開口部、からなり、前記建物開口を開放し又は閉鎖するシャッターカーテンと、
前記一側に設けられて、前記シャッターカーテンの前記スラットを前記他側から前記一側に向けて移動させることにより前記シャッターカーテンを巻き取るとともに前記スラットを前記一側から前記他側に向けて移動させることにより前記シャッターカーテンを引き出すモータと、
前記モータを駆動させる駆動回路を介して前記モータの作動を制御する制御装置と、を備えた電動シャッター装置において、
前記制御装置は、
前記複数の前記スラットのうちの少なくとも一部の隣接する前記スラットを相対移動させて前記開口部を間欠的に開閉させる開閉制御部を有する、ように構成された電動シャッター装置。
【請求項２】
前記開閉制御部は、
前記座板が前記他側に当接した状態で、前記複数の前記スラットのうちの少なくとも一部の隣接する前記スラットを相対移動させて前記開口部を間欠的に開閉させる、請求項１に記載の電動シャッター装置。
【請求項３】
前記制御装置は、
前記開口部を間欠的に開閉させることを選択する選択部を備えており、
前記開閉制御部は、
前記選択部の操作に応じて、前記開口部を間欠的に開閉させる、請求項１又は請求項２に記載の電動シャッター装置。
【請求項４】
前記制御装置は、
少なくとも前記建物の外部における人の存在を検出する検出部を備えており、
前記開閉制御部は、
前記検出部による検出結果に応じて、前記開口部を間欠的に開閉させる、請求項１又は請求項２に記載の電動シャッター装置。
【請求項５】
前記開閉制御部は、
定期的に、又は、不定期的に、前記開口部を繰り返し開閉させる、請求項１乃至請求項４のうちの何れか一項に記載の電動シャッター装置。
【請求項６】
前記開閉制御部は、
前記モータの回転数を異ならせて隣接する前記スラットを相対移動させることにより、前記開口部を全開とする第一状態と、前記開口部を前記全開よりも小さい半開とする第二状態と、により、前記開口部を間欠的に開閉させる、請求項１乃至請求項５のうちの何れか一項に記載の電動シャッター装置。
【請求項７】
前記スラットは、
前記開口部を有する固定羽と、
前記固定羽に重なるように連結されていて、隣接する前記スラットが前記案内溝に沿って互いに離間する方向に相対移動することに伴って前記開口部を閉じるとともに前記スラットが前記案内溝に沿って互いに接近する方向に相対移動することに伴って前記開口部を開く可動羽と、を有する、請求項１乃至請求項６のうちの何れか一項に記載の電動シャッター装置。
【請求項８】
前記スラットは、
隣接する前記スラットを前記案内溝に沿った方向にて遊びを有して連結するとともに、前記開口部を有する連結部材を有しており、
前記開口部は、
隣接する前記スラットが前記遊びの分だけ前記案内溝に沿って互いに離間する方向に相対移動することによって開けられ、前記スラットが前記遊びの分だけ前記案内溝に沿って互いに接近する方向に相対移動することによって閉じられる、請求項１乃至請求項６のうちの何れか一項に記載の電動シャッター装置。
【発明の詳細な説明】
【技術分野】
【０００１】
本発明は、モータがシャッターカーテンの巻き取り及び引き出しを行う電動シャッター装置に関する。
【背景技術】
【０００２】
従来から、例えば、下記特許文献１に開示された開閉体制御システム（以下、「第一従来装置」と称呼する。）が知られている。この第一従来装置では、構造物の開口を閉鎖する開閉体（シャッターカーテン）の動作を携帯情報端末を用いて遠隔操作できるとともに、開閉体（シャッターカーテン）の開閉状態を携帯情報端末を用いて確認することができるようになっている。
【０００３】
又、従来から、例えば、下記特許文献２に開示された建築用電動シャッターにおける防犯装置（以下、「第二従来装置」と称呼する。）も知られている。この第二従来装置では、シャッターカーテンが抉じ開けられたことを検出すると通報する防犯装置を備えており、防犯装置の不作動が診断されるようになっている。
【０００４】
又、従来から、例えば、下記特許文献３に開示された侵入監視領域の開閉システム（以下、「第三従来装置」と称呼する。）も知られている。この第三従来装置では、侵入監視領域の周辺環境の変動を監視する監視センサから出力された情報に基づいて、侵入監視領域に対して開閉自在に設置されたシャッター（シャッターカーテン）を作動させるようになっている。
【０００５】
更に、従来から、例えば、下記特許文献４に開示された遮蔽体ユニット（以下、「第四従来装置」と称呼する。）も知られている。この第四従来装置では、人或いは物体が屋外から住宅開口に接近したことを検知すると、遮蔽体（シャッターカーテン）を自動的に駆動させて住宅開口を閉じるようになっている。
【先行技術文献】
【特許文献】
【０００６】
【特許文献１】特開２０１３−１６３９５８号公報
【特許文献２】特開２００５−２８２１５３号公報
【特許文献３】特開２００８−２８０７７７号公報
【特許文献４】特開２００６−９００４３号公報
【発明の概要】
【発明が解決しようとする課題】
【０００７】
ところで、上記第一従来装置及び上記第二従来装置では、シャッターカーテンの破損を検知して通報するようになっているため、悪意を持った不法侵入者が建物の敷地内に侵入して実際にシャッターカーテンを破損させてしまう。又、上記第三従来装置及び上記第四従来装置では、不法侵入者が建物の敷地内に侵入したことを検知してシャッターカーテンを閉めるように作動する。上記第一従来装置〜上記第四従来装置では、不法侵入者が敷地内に侵入した場合であっても、シャッターカーテンが閉じられた状態になるので、不法侵入者が建物内に侵入することは防止することができる。しかしながら、敷地内に侵入した不法侵入者は、シャッターカーテンを破損させる可能性が高い。従って、不法侵入者が敷地内に侵入することを抑止することが望まれる。
【０００８】
本発明は、上記課題を解決するためになされたものである。即ち、本発明の目的は、不法侵入者が建物に近づくことを抑止して防犯性の高い電動シャッター装置を提供することにある。
【課題を解決するための手段】
【０００９】
上記の課題を解決するため、請求項１に係る電動シャッター装置の発明は、建物の建物開口の一側から他側に向けて延設された案内溝を有するガイドレールと、帯状の両端部が案内溝に係合していて案内溝に沿って移動可能且つ両端部を結ぶ軸線の回りに回転不能とされて案内溝に沿った方向にて互いに連結された複数のスラット、スラットに連結されていて他側に当接する座板、及び、隣接するスラットが案内溝に沿った方向にて相対移動することに伴って開口するようにスラットに設けられた開口部、からなり、建物開口を開放し又は閉鎖するシャッターカーテンと、一側に設けられて、シャッターカーテンのスラットを他側から一側に向けて移動させることによりシャッターカーテンを巻き取るとともにスラットを一側から他側に向けて移動させることによりシャッターカーテンを引き出すモータと、モータを駆動させる駆動回路を介してモータの作動を制御する制御装置と、を備えた電動シャッター装置において、制御装置は、複数のスラットのうちの少なくとも一部の隣接するスラットを相対移動させて開口部を間欠的に開閉させる開閉制御部を有する、ように構成される。
【００１０】
これによれば、開閉制御部は、自動的にモータを駆動させてスラットを相対移動させることにより、開口部を間欠的に開閉させることができ、建物に住人が不在の場合であっても、あたかも建物内に存在する住人が手動操作によってシャッターカーテンの開口部を開閉させているように模して演出することができる。これにより、建物の外部から開閉する開口部を認識させることによって、建物内に住人が存在していると不法侵入者が認識する可能性を高めることができ、その結果、不法侵入者に建物に近づくことを躊躇させることができる。従って、不法侵入者が建物に近づくことを抑止することができて、防犯性を高めることができる。
【図面の簡単な説明】
【００１１】
【図１】実施形態に係る電動シャッター装置の構成を示す構成図である。
【図２】図１のシャッターカーテンの構成を示すとともに閉状態を示す断面構成図である。
【図３】図１のシャッターカーテンの開状態を示す断面図である。
【図４】図１の制御装置の構成を示すブロック図である。
【図５】図４の制御部によって実行される在宅演出制御プログラムのフローチャートである。
【図６】実施形態の第一変形例に係り、図４の制御部によって実行される在宅演出制御プログラムのフローチャートである。
【図７】実施形態の第二変形例に係る電動シャッター装置の構成を示す構成図である。
【図８】図７のシャッターカーテンの構成を示すとともに開状態を示す図である。
【図９】図７のシャッターカーテンの閉状態を示す図である。
【図１０】実施形態の第三実施形態に係り、室外人感センサの配置を説明するための図である。
【発明を実施するための形態】
【００１２】
以下、本発明の実施形態について図面を参照しながら説明する。尚、以下の実施形態及び各変形例の相互において、互いに同一又は均等である部分には、図中、同一符号を付してある。又、説明に用いる各図は、概念図であり、各部の形状は必ずしも厳密なものではない場合がある。
【００１３】
本実施形態の電動シャッター装置１は、図１に示すように、帯状の複数のスラット１０が上下方向に連結されることによって構成されて建物Ｈの建物開口である窓部Ｍを開放し又は閉鎖するシャッターカーテン２０と、シャッターボックス３０と、ガイドレール４０及び下枠５０と、を備えている。
【００１４】
シャッターボックス３０は、建物Ｈの一側である上部（天井）に設けられており、ドラム３１と、モータ３２と、を備えている。ドラム３１は、シャッターカーテン２０の上端部に位置するスラット１０と、モータ３２と、に連結されている。ドラム３１は、モータ３２によって正逆方向に回転され、ドラム３１の回転に応じて、スラット１０（シャッターカーテン２０）の引き出し、又は、巻き取りが行われる。モータ３２は、ドラム３１を駆動する駆動部であり、例えば、直流モータから構成される。
【００１５】
シャッターカーテン２０は、帯状のスラット１０の両端部が、一側である天井から他側である床面に設置された下枠５０に向けて延設された案内溝４０ａを有して立設されるガイドレール４０に対して係合し、案内溝４０ａによってガイドされる。これにより、スラット１０は、案内溝４０ａに沿って移動可能且つ両端部を結ぶ軸線（図示省略）の回りに回転不能とされる。ドラム３１及びドラム３１に巻き取られたスラット１０（シャッターカーテン２０）は、シャッターボックス３０内に収容されるようになっている。
【００１６】
シャッターカーテン２０は、図１に示すように、複数のスラット１０と、床面に固定された下枠５０に当接する座板１１と、から構成されている。座板１１が下枠５０（又は、床面）に当接してシャッターカーテン２０（電動シャッター装置１）が閉じた場合においては、例えば、モータ３２の回転がロックされて、建物Ｈの外部（室外）から、シャッターカーテン２０をシャッターボックス３０に向けて、即ち、上方に向けて持ち上げる（巻き取る）ことが不能になる。
【００１７】
本実施形態において、スラット１０は、図２及び図３に示すように、可動羽１００と、可動羽１００が室外の側から重なる固定羽１０１と、を有している。可動羽１００は、上端部に下前フック１００ａと、上前フック１００ｂと、中前フック１００ｃと、が形成されている。固定羽１０１は、上端部に上後フック１０１ａと、下端部に下後フック１０１ｂと、突起１０１ｃと、が形成されている。又、固定羽１０１は、開口部１２が形成されている。
【００１８】
このように可動羽１００及び固定羽１０１から構成されるスラット１０は互いに連結されてシャッターカーテン２０を形成する。具体的に、図２及び図３にて上側に位置するスラット１０の固定羽１０１に設けられた突起１０１ｃと下後フック１０１ｂとは、図２及び図３にて下側に位置するスラット１０の可動羽１００に設けられた上前フック１００ｂに対して係合される。又、室外の側に位置するスラット１０の可動羽１００の下前フック１００ａと中前フック１００ｃとは、室内の側に位置する固定羽１０１に設けられた上後フック１０１ａに対して係合される。これにより、隣接するスラット１０同士が連結されて、シャッターカーテン２０を構成する。
【００１９】
又、固定羽１０１は、複数のスリット状の孔から構成される開口部１２を有している。開口部１２は、可動羽１００に覆われるように固定羽１０１に形成されている。ここで、可動羽１００、固定羽１０１及び開口部１２の設けられたスラット１０は、シャッターカーテン２０を構成する複数のスラット１０のうち、少なくとも一つ以上設けられていれば良い。又、固定羽１０１に設けられる開口部１２は、スラット１０の幅方向のうち、一部が開口されることによって構成されても良い。更に、開口部１２は、スリット孔に金網等が設けられても良い。この場合、可動羽１００は、開口部１２に応じて一つのスラット１０の開口部１２毎に幅方向に複数設けられても良いし、幅方向にある複数の開口部１２に対して一つの可動羽１００が設けられるようにしても良い。
【００２０】
次に、シャッターカーテン２０、より具体的には、スラット１０の作動を説明する。図１に示すように、座板１１が下枠５０（他側である床面）に当接した状態で、シャッターカーテン２０は、可動羽１００を閉じた閉状態又は可動羽１００を開いた開状態に切り替えられる。閉状態においては、図２に示すように、可動羽１００は、開口部１２を覆うように固定羽１０１に対して少なくとも一部分が当接し、且つ、固定羽１０１に沿うように閉じる。可動羽１００が閉状態である場合、開口部１２を介して、室外から室内に向けての光や風の通過が遮断される。
【００２１】
一方、可動羽１００が開状態となる場合、図３に示すように、上側のスラット１０と下側のスラット１０とが上下方向において相対移動することにより、上側のスラット１０が下側のスラット１０を押圧して、可動羽１００が固定羽１０１に対して角度を有するように開く。これにより、可動羽１００が開状態になった場合、可動羽１００は開口部１２を覆うことがなく、開口部１２を介して、室外から室内に向けての光や風の通過が可能になる。尚、可動羽１００を開状態又は閉状態に切り替える場合、座板１１が下枠５０（他側である床面）に当接した状態で行うようにするが、例えば、座板１１と下枠５０との間に物を挟み、人が通れない程度の隙間を設けた場合であっても、可動羽１００を開状態又は閉状態に切り替えることが可能である。
【００２２】
具体的に、可動羽１００の開状態を説明すると、シャッターカーテン２０が引き出されて建物Ｈの窓部Ｍを閉鎖した（電動シャッター装置１を閉じた）状態になった後、更にシャッターカーテン２０を引き出すようにモータ３２が所定の回転数だけ、例えば、正回転する。この場合、上側のスラット１０は下側のスラット１０に向けて相対移動し、図３に示すように、上側の可動羽１００の突起１０１ｃの先端部ｘが下側の可動羽１００の下前フック１００ａに形成された当接面ｙの室内の側に向けて押圧する。これにより、下側のスラット１０の固定羽１０１の上後フック１０１ａを支点とし、可動羽１００が開状態になる。ここで、上側のスラット１０が下側のスラット１０に向けて相対移動することによって可動羽１００が開状態になるため、図２に示すように、シャッターカーテン２０においては、可動羽１００が座板１１の側からシャッターボックス３０に向けて、即ち、下側から上側に向けて順に開状態になる。
【００２３】
又、可動羽１００が開状態になった後、シャッターカーテン２０を巻き取るようにモータ３２が所定の回転数だけ、例えば、逆回転することにより、隣接する上側のスラット１０は下側のスラット１０から離間する方向（即ち、上側）に相対移動する。これにより、上側の可動羽１００の突起１０１ｃの先端部ｘが下側の可動羽１００の下前フック１００ａに形成された当接面ｙから離間する。従って、可動羽１００は、図２に示す閉状態になる。
【００２４】
又、電動シャッター装置１は、図１に示すように、制御装置６０を備えている。制御装置６０は、図４に具体的に示すように、操作部６１と、検出部６２と、開閉制御部６３と、駆動回路６４と、から構成される。
【００２５】
操作部６１は、開閉制御部６３に、有線又は無線により接続されている。操作部６１は、住人によって操作される開スイッチ６１ａ、停止スイッチ６１ｂ、閉スイッチ６１ｃ、及び、選択部としての在宅演出モード選択スイッチ６１ｄを備えている。
【００２６】
開スイッチ６１ａは、シャッターカーテン２０を巻き上げて電動シャッター装置１を開ける、或いは、住人が手動操作によって可動羽１００を閉状態とするスイッチである。停止スイッチ６１ｂは、シャッターカーテン２０の引き出し作動又は巻き上げ作動を停止するスイッチである。閉スイッチ６１ｃは、シャッターカーテン２０を引き出して電動シャッター装置１を閉める、或いは、住人が手動操作によって可動羽１００を開状態とするスイッチである。在宅演出モード選択スイッチ６１ｄは、後述する在宅演出モードを実行させるスイッチである。そして、開スイッチ６１ａ、停止スイッチ６１ｂ、閉スイッチ６１ｃ、及び、在宅演出モード選択スイッチ６１ｄは、住人によって操作されると、開閉制御部６３に対して、それぞれ、スイッチに応じた信号であるスイッチ信号を出力する。
【００２７】
検出部６２は、開閉制御部６３に、有線又は無線により接続されている。検出部６２は、当接検知センサ６２ａと、建物Ｈ（部屋）の内部に設けられる室内人感センサ６２ｂと、建物Ｈの外部に設けられる室外人感センサ６２ｃと、から構成される。
【００２８】
当接検知センサ６２ａは、シャッターカーテン２０の座板１１が下枠５０（他側である床面）に当接したことを検知する。当接検知センサ６２ａは、例えば、モータ３２に内蔵されたエンコーダ（図示省略）から、モータ３２が所定量回転する毎に出力される位置パルスを取得する。ここで、位置パルスは、モータ３２の回転速度が遅くなるにつれてパルス幅が大きくなり、モータ３２の回転速度が速くなるにつれてパルス幅が小さくなる。従って、当接検知センサ６２ａは、取得した位置パルスのパルス幅に応じて、モータ３２の回転速度（回転数）、換言すれば、モータ３２の負荷を検出する。尚、当接検知センサ６２ａは、位置パルスをカウントすることにより、モータ３２の回転速度（回転数）、換言すれば、モータ３２の負荷を検出しても良い。当接検知センサ６２ａは、検出したモータ３２の回転速度（回転数）を検出結果として開閉制御部６３に出力する。
【００２９】
室内人感センサ６２ｂは、室内に住人が存在しているか否かを検知する。室内人感センサ６２ｂは、例えば、近赤外線を出射するとともに物体によって反射された近赤外線を取得する。室内に存在する住人が動くことにより、近赤外線の反射状態が異なるため、室内人感センサ６２ｂは、近赤外線の反射状態の変化に応じて、室内に住人が存在しているか否かを検出する。室内人感センサ６２ｂは、検出した住人の存在の有無を検出結果として開閉制御部６３に出力する。
【００３０】
室外人感センサ６２ｃは、建物Ｈの存在する敷地Ｓの境界（例えば、門扉等、図１０を参照。）に設けられて、門扉等に敷地Ｓの外部から接近する人が存在しているか否かを検知する。室外人感センサ６２ｃは、例えば、近赤外線を出射するとともに物体によって反射された近赤外線を取得する。門扉等の近傍であって敷地Ｓの外部に存在する人が動くことにより、近赤外線の反射状態が異なるため、室外人感センサ６２ｃは、近赤外線の反射状態の変化に応じて、門扉等の近傍の敷地Ｓの外部に人が存在しているか否かを検出する。室外人感センサ６２ｃは、検出した敷地Ｓの外部における人の存在の有無を検出結果として開閉制御部６３に出力する。
【００３１】
開閉制御部６３は、ＣＰＵ、ＲＯＭ、ＲＡＭ、タイマ、各種インターフェース、外部記憶装置等（何れも図示省略）を備えたマイクロコンピュータを主要構成部品とし、操作部６１のスイッチの操作に応じて、又は、自動的にモータ３２の駆動を制御する。具体的に、開閉制御部６３は、シャッターカーテン２０（電動シャッター装置１）を閉める「閉モード」、シャッターカーテン２０（電動シャッター装置１）を閉じた状態で可動羽１００を開状態又は閉状態とする「開閉モード」、シャッターカーテン２０（電動シャッター装置１）を開ける「開モード」をそれぞれ実行する。又、後に詳述するように、開閉制御部６３は、シャッターカーテン２０（電動シャッター装置１）が閉められた状態で、在宅する住人が手動操作により可動羽１００を開閉する手動開閉動作を模して可動羽１００を自動的に開閉する「在宅演出モード」を実行する。開閉制御部６３は、上記各モードに応じた指令を駆動回路６４に出力する。
【００３２】
ここで、開閉制御部６３は、住人によって操作部６１の開スイッチ６１ａが操作された場合、即ち、開モードの場合、モータ３２の逆転駆動によりシャッターカーテン２０をドラム３１に巻き取らせて上昇させる指令（以下、「開指令」と称呼する。）を駆動回路６４に出力する。又、開閉制御部６３は、住人によって操作部６１の閉スイッチ６１ｃが操作された場合、即ち、閉モードの場合、モータ３２の正転駆動によりシャッターカーテン２０をドラム３１から引き出させて下降させる指令（以下、「閉指令」と称呼する。）を駆動回路６４に出力する。更に、開指令又は閉指令を出力しているときに、住人によって操作部６１の停止スイッチ６１ｂが操作された場合、或いは、座板１１が下枠５０（床面）に当接した場合、モータ３２の駆動を停止させる指令（以下、「停止指令」と称呼する。）を駆動回路６４に出力する。
【００３３】
尚、開閉制御部６３は、閉モードにおいて、検出部６２の当接検知センサ６２ａからモータ３２の回転速度（回転数）を一定周期毎に取得する。開閉制御部６３は、取得した回転速度（回転数）が予め設定された全閉閾値以上であるか否かを判定し、シャッターカーテン２０が閉状態であるか否かを検出する。全閉閾値は、シャッターカーテン２０（即ち、電動シャッター装置１）が閉じられたことを判定する値であり、シャッターカーテン２０の座板１１が下枠５０（他側である床面）に当接したときのモータ３２の回転速度（回転数）の値である。全閉閾値は、可動羽１００が閉状態から開状態になるまでのシャッターカーテン２０（より詳しくは、複数のスラット１０）の移動距離に応じて決定される。
【００３４】
そして、開閉制御部６３は、当接検知センサ６２ａから取得した回転速度（回転数）が全閉閾値以下の場合、シャッターカーテン２０の座板１１が下枠５０（床面）に当接したと判定する。この場合、開閉制御部６３は、駆動回路６４に停止指令を出力することにより、モータ３２即ちシャッターカーテン２０の動作を停止させる。
【００３５】
又、開閉制御部６３は、開閉モード又は在宅演出モードにおいて、モータ３２を正転駆動させて、スラット１０の可動羽１００を開状態とする指令（以下、「開方向旋回指令」と称呼する。）を駆動回路６４に出力する。更に、開閉制御部６３は、開閉モード又は在宅演出モードにおいて、モータ３２を逆転駆動させて、スラット１０の可動羽１００を閉状態とする指令（以下、「閉方向旋回指令」と称呼する。）を駆動回路６４に出力する。
【００３６】
ここで、開方向旋回指令は、モータ３２の回転速度（回転数）が全閉閾値以下になっている状態で、モータ３２を所定の回転数だけ正回転させる指令、即ち、モータ３２にスラット１０の可動羽１００を開方向に作動させて開状態にする指令である。又、閉方向旋回指令は、モータ３２の回転速度（回転数）が全閉閾値以下になっている状態で、モータ３２を所定の回転数だけ逆回転させる指令、即ち、モータ３２にスラット１０の可動羽１００を閉方向に作動させて閉状態にする指令である。
【００３７】
駆動回路６４は、開閉制御部６３から出力された上記各指令を取得する。駆動回路６４は、各指令のうち、取得した指令に応じて、例えば、モータ３２に供給する電力（電流）を制御し、モータ３２を正転駆動又は逆転駆動させる。
【００３８】
次に、電動シャッター装置１の制御装置６０、より詳しくは、開閉制御部６３による在宅演出モードについて、図５のフローチャートに基づいて詳細に説明する。この在宅演出モードは、シャッターカーテン２０（電動シャッター装置１）が閉じた状態、即ち、シャッターカーテン２０の座板１１が下枠５０（他側である床面）に当接しており、室外の側からシャッターカーテン２０を持ち上げることが不能な状態において実行される。
【００３９】
開閉制御部６３（より詳しくは、開閉制御部６３のＣＰＵ。以下、同じ。）は、図５の在宅演出制御プログラムをステップＳ１０にて実行を開始すると、ステップＳ１１に進む。
【００４０】
続くステップＳ１１においては、開閉制御部６３は、住人によって在宅演出モード選択スイッチ６１ｄが操作されて在宅演出モードが設定されているか否かを判定する。即ち、開閉制御部６３は、在宅演出モード選択スイッチ６１ｄから取得したスイッチ信号が住人によって在宅演出モードが選択されたことを表すオン状態であれば、「Ｙｅｓ」と判定してステップＳ１２に進む。一方、開閉制御部６３は、在宅演出モード選択スイッチ６１ｄから取得したスイッチ信号が住人によって在宅演出モードが選択されていないことを表すオフ状態であれば、「Ｎｏ」と判定し、スイッチ信号がオン状態となるまで繰り返しステップＳ１１を実行する。
【００４１】
ステップＳ１２においては、開閉制御部６３は、建物Ｈ内に住人が不在であるか否かを判定する。即ち、開閉制御部６３は、室内人感センサ６２ｂから取得した検出結果を用いて、例えば、住人が外出しており、建物Ｈ内に住人が不在であれば、「Ｙｅｓ」と判定してステップＳ１３に進む。一方、開閉制御部６３は、室内人感センサ６２ｂから取得した検出結果を用いて、建物Ｈ内に住人が在宅していれば、「Ｎｏ」と判定して前記ステップＳ１１に戻る。そして、開閉制御部６３は、在宅演出モードが設定され、且つ、住人が不在となるまで、繰り返し、前記ステップＳ１１及びステップＳ１２を繰り返し実行する。
【００４２】
ステップＳ１３においては、開閉制御部６３は、予め設定された設定時間に従って、開閉モードを実行する。具体的に、開閉制御部６３は、閉モードの実行によって座板１１が下枠５０（床面）に当接してシャッターカーテン２０を閉めた状態にある電動シャッター装置１において、開閉モードを実行する。このため、開閉制御部６３は、スラット１０の可動羽１００を、手動開閉動作を模して繰り返し、閉状態から開状態に、及び、開状態から閉状態になるように、開方向旋回指令及び閉方向旋回指令を駆動回路６４に出力する。
【００４３】
駆動回路６４は、開閉制御部６３から繰り返し出力される開方向旋回指令及び閉方向旋回指令に基づき、モータ３２を所定の回転数だけ正回転又は逆回転させる。これにより、開閉制御部６３から開方向旋回指令が出力された場合には、モータ３２が所定の回転数だけ正回転することにより、スラット１０の可動羽１００は閉状態から開状態になる。又、手動開閉動作を模して、一定時間が経過した後に、開閉制御部６３から閉方向旋回指令が出力された場合には、モータ３２が所定の回転数だけ逆回転することにより、スラット１０の可動羽１００は開状態から閉状態になる。
【００４４】
このように、スラット１０の可動羽１００が開状態と閉状態とを繰り返すことは、例えば、建物Ｈの敷地外から目視や作動音により確認することができる。特に、夜間であれば、外出する住人が室内の照明を点けておくことにより、室内の光が固定羽１０１に設けられた開口部１２を介して外部に漏れたり遮光されたりするため、可動羽１００の開状態と閉状態とが繰り返されていることを容易に確認することができる。これにより、開閉制御部６３は、建物Ｈ内には住人が不在であるにも拘らず、あたかも住人が在宅しているかのように、シャッターカーテン２０の動作を演出することができる。
【００４５】
そして、開閉制御部６３は、予め設定された設定時間において、上述した開閉モードを実行すると、ステップＳ１４に進む。
【００４６】
ステップＳ１４においては、開閉制御部６３は、在宅演出モードを終了するか否かを判定する。具体的に、開閉制御部６３は、予め設定された設定時間が経過した場合には、「Ｙｅｓ」と判定してステップＳ１５に進む。或いは、開閉制御部６３は、帰宅した住人によって在宅演出モード選択スイッチ６１ｄが操作され、在宅演出モード選択スイッチ６１ｄからのスイッチ信号がオフ状態であれば、「Ｙｅｓ」と判定してステップＳ１５に進む。そして、ステップＳ１５において、開閉制御部６３は、在宅演出制御プログラムの実行を終了する。
【００４７】
一方、開閉制御部６３は、予め設定された設定時間が経過していない場合には、「Ｎｏ」と判定して前記ステップＳ１１に戻り、前記ステップＳ１１以降の各ステップ処理を実行する。或いは、予め設定された設定時間が経過し、且つ、在宅演出モード選択スイッチ６１ｄからのスイッチ信号がオン状態のままであれば、「Ｎｏ」と判定して前記ステップＳ１１に戻り、前記ステップＳ１１以降の各ステップ処理を実行する。
【００４８】
以上の説明からも理解できるように、上記実施形態の電動シャッター装置１は、建物Ｈの建物開口としての窓部Ｍの一側（天井側）から他側（床面側）に設置された下枠５０に向けて延設された案内溝４０ａを有するガイドレール４０と、帯状の両端部が案内溝４０ａに係合していて案内溝４０ａに沿って移動可能且つ両端部を結ぶ軸線の回りに回転不能とされて案内溝４０ａに沿った方向にて互いに連結された複数のスラット１０、スラット１０に連結されていて他側（下枠５０）に当接する座板１１、及び、隣接するスラット１０が案内溝４０ａに沿った方向にて相対移動することに伴って開口するようにスラット１０に設けられた開口部１２、からなり、窓部Ｍを開放し又は閉鎖するシャッターカーテン２０と、一側（天井側）に設けられて、シャッターカーテン２０のスラット１０を他側（下枠５０）から一側（天井側）に向けて移動させることによりシャッターカーテン２０を巻き取るとともにスラット１０を一側（天井側）から他側（下枠５０）に向けて移動させることによりシャッターカーテン２０を引き出すモータ３２と、モータ３２を駆動させる駆動回路６４を介してモータ３２の作動を制御する制御装置６０と、を備える。
【００４９】
電動シャッター装置１において、制御装置６０は、複数のスラット１０のうちの少なくとも一部の隣接するスラット１０を相対移動させて開口部１２を間欠的に開閉させる開閉制御部６３を有する、ように構成される。この場合、開閉制御部６３は、座板１１が他側（下枠５０）に当接した状態で、複数のスラット１０のうちの少なくとも一部の隣接するスラット１０を相対移動させて開口部１２を間欠的に開閉させる。
【００５０】
これらの場合、より具体的に、スラット１０は、開口部１２を有する固定羽１０１と、固定羽１０１に重なるように連結されていて、隣接するスラット１０が案内溝４０ａに沿って互いに離間する方向に相対移動することに伴って開口部１２を閉じるとともにスラット１０が案内溝４０ａに沿って互いに接近する方向に相対移動することに伴って開口部１２を開く可動羽１００と、を有する。
【００５１】
これらによれば、開閉制御部６３は、スラット１０を相対移動させることにより開口部１２を間欠的に開閉させることができ、建物Ｈに住人が不在の場合であっても、自動的にモータ３２を駆動させて、あたかも建物Ｈ内に存在する住人が手動操作によってシャッターカーテン２０の開口部１２を開閉させているように模して、即ち、手動開閉動作を模した在宅演出モードによって演出することができる。これにより、建物Ｈの外部から開閉する開口部１２を認識することによって建物Ｈ内に住人が存在していると不法侵入者が認識する可能性を高め、その結果、不法侵入者に建物Ｈに近づくことを躊躇させることができる。従って、不法侵入者が建物Ｈに近づくことを抑止することができて、防犯性を高めることができる。尚、上記実施形態においては、開閉制御部６３は、座板１１が下枠５０（他側である床面）に当接している場合において開口部１２を間欠的に開閉させるようにした。しかしながら、開閉制御部６３は、座板１１が下枠５０（他側である床面）から人が通れない程度の隙間を有している場合であっても開口部１２を間欠的に開閉させることが可能である。この場合においても、不法侵入者が建物Ｈに近づくことを抑止することができるため、防犯性を高めることができる。
【００５２】
又、開口部１２の開閉に際してシャッターカーテンの巻き取り及び引き出しを行うモータ３２を正回転又は逆回転させることのみで、開口部１２を開閉することができる。従って、例えば、開口部１２を開閉させるためのモータ（アクチュエータ）を備えた開閉機構を別途設ける必要がなく、電動シャッター装置１を安価に製造することができる。
【００５３】
これらの場合、制御装置６０は、開口部１２を間欠的に開閉させることを選択する選択部としての在宅演出モード選択スイッチ６１ｄを備えており、開閉制御部６３は、在宅演出モード選択スイッチ６１ｄの操作に応じて、開口部１２を間欠的に開閉させる。
【００５４】
これによれば、住人は、建物Ｈから外出して不在になる場合に、在宅演出モードを選択することにより、開閉制御部６３は、在宅演出モードによって手動開閉動作を模して開口部１２を間欠的に開閉させることができる。従って、不在時において、不法侵入者が建物Ｈに近づくことを抑止することができて、防犯性を高めることができる。
【００５５】
これらの場合、開閉制御部６３は、定期的に開口部１２を繰り返し開閉させることができる。これによれば、開閉制御部６３が開口部１２を定期的に繰り返し開閉させることにより、不法侵入者が開口部１２の開閉を認識する機会を増やすことができ、その結果、不法侵入者が建物Ｈに近づくことをより抑止することができる。従って、より防犯性を高めることができる。
【００５６】
＜第一変形例＞
上記実施形態においては、制御装置６０の開閉制御部６３は、図５に示す在宅演出制御プログラムを実行することにより、在宅演出モードにおいて、スラット１０の可動羽１００を開状態から閉状態、及び、閉状態から開状態に一定時間が経過する毎に移行させる同一のパターンで繰り返すようにした。これに代えて、開閉制御部６３が、在宅演出モードにおいて、スラット１０の可動羽１００を開状態から閉状態に移行させる時間、及び、閉状態から開状態に移行する時間をランダムに変更したり、スラット１０の可動羽１００の固定羽１０１に対する開量を変更したりすることも可能である。以下、この第一変形例を説明する。
【００５７】
この第一変形例においては、開閉制御部６３は、「閉モード」、「開モード」及び「開閉モード」に加えて、「開閉調整モード」を実行する。「開閉調整モード」は、開閉モードの実行中において、スラット１０の可動羽１００の開量を全開である第一状態よりも小さい半開である第二状態にするモードである。そして、開閉制御部６３は、開閉調整モードにおいて、スラット１０の可動羽１００を全開の状態から開量を小さくして開状態とする指令（以下、「開量調整指令」と称呼する。）を駆動回路６４に出力する。
【００５８】
ここで、開量調整指令は、可動羽１００を第一状態である全開にするようにモータ３２を所定の回転数だけ正回転させた状態から、所定の回転数よりも少ない回転数だけ逆回転させて可動羽１００を第二状態である半開にする指令、即ち、モータ３２にスラット１０の可動羽１００を閉方向に作動させて開量を調整する指令である。開閉調整モードが実行された場合のシャッターカーテン２０は、座板１１の側となる下部の複数のスラット１０の可動羽１００のみが全開（第一状態）、又は、スラット１０の可動羽１００の全部が全開よりも小さな開量となる半開（第二状態）になる。
【００５９】
この第一変形例においては、開閉制御部６３は、図６に示す在宅演出制御プログラムを実行する。尚、この第一変形例においても、在宅演出モードは、シャッターカーテン２０（電動シャッター装置１）が閉じた状態であり、室外の側からシャッターカーテン２０を持ち上げることが不能な状態において実行される。
【００６０】
開閉制御部６３は、ステップＳ２０にて第一変形例の在宅演出制御プログラムの実行を開始すると、ステップＳ２１に進む。ステップＳ２１においては、上記実施形態の在宅演出制御プログラムにおける前記ステップＳ１１と同様に、開閉制御部６３は、住人によって在宅演出モードが設定されているか否かを判定する。開閉制御部６３は、在宅演出モードが選択されていれば、「Ｙｅｓ」と判定してステップＳ２２に進む。一方、開閉制御部６３は、在宅演出モードが選択されていなければ、「Ｎｏ」と判定し、スイッチ信号がオン状態となるまで繰り返しステップＳ２１を実行する。
【００６１】
ステップＳ２２においては、開閉制御部６３は、スラット１０の可動羽１００を開状態又は閉状態とする開閉モードと、可動羽１００の開量を全開（第一状態）よりも小さくした半開（第二状態）とする開閉調整モードと、をランダムに切り替えて実行する。具体的に、開閉制御部６３は、閉モードの実行によって座板１１が下枠５０（床面）に当接してシャッターカーテン２０を閉めた状態にある電動シャッター装置１において、開閉モードと開閉調整モードとをランダムに実行する。
【００６２】
このため、開閉制御部６３は、例えば、スラット１０の可動羽１００を閉状態から開状態になるように開方向旋回指令を駆動回路６４に出力し、その後、不定期的に（ランダムに）可動羽１００を半開になるように開量調整指令を駆動回路６４に出力し、更にその後、可動羽１００を開状態から閉状態になるように閉方向旋回指令を駆動回路６４に出力する。又、開閉制御部６３は、例えば、スラット１０の可動羽１００を閉状態から開状態になるように開方向旋回指令を駆動回路６４に出力した後、不定期的に（ランダムに）、可動羽１００を開状態から閉状態になるように閉方向旋回指令を駆動回路６４に出力する。
【００６３】
駆動回路６４は、開閉制御部６３から不定期的に（ランダムに）出力される開方向旋回指令、開量調整指令及び閉方向旋回指令に基づき、モータ３２を正回転又は逆回転させる。これにより、開閉制御部６３から開方向旋回指令が出力された場合には、モータ３２が所定の回転数だけ正回転することにより、スラット１０の可動羽１００は閉状態から開状態になる。又、開閉制御部６３から開量調整指令が出力された場合には、モータ３２が所定の回転数よりも少ない回転数だけ逆回転又は正回転することにより、スラット１０の可動羽１００の開量を小さくすることができる。更に、住人によるスラット１０の可動羽１００の開閉を模して、一定時間が経過した後に、開閉制御部６３から閉方向旋回指令が出力された場合には、モータ３２が所定の回転数だけ逆回転することにより、スラット１０の可動羽１００は開状態から閉状態になる。
【００６４】
このように、スラット１０の可動羽１００が開状態（全開又は半開）と閉状態とを繰り返すことは、例えば、建物Ｈの敷地外から目視や作動音により確認することができる。特に、夜間であれば、外出する住人が室内の照明を点けておくことにより、室内の光が固定羽１０１に設けられた開口部１２を介して外部に漏れたり遮光されたりするため、可動羽１００の開状態（全開又は半開）と閉状態とが繰り返されていることを容易に確認することができる。これにより、建物Ｈ内には住人が不在であるにも拘らず、あたかも住人が在宅しているかのように、より自然に演出することができる。
【００６５】
そして、開閉制御部６３は、予め設定された設定時間において、上述した開閉モードを実行すると、ステップＳ２３に進む。
【００６６】
ステップＳ２３においては、開閉制御部６３は、在宅演出モードを終了するか否かを判定する。具体的に、開閉制御部６３は、予め設定された設定時間が経過した場合には、「Ｙｅｓ」と判定してステップＳ２４に進む。或いは、開閉制御部６３は、帰宅した住人によって在宅演出モード選択スイッチ６１ｄが操作され、在宅演出モード選択スイッチ６１ｄからのスイッチ信号がオフ状態であれば、「Ｙｅｓ」と判定してステップＳ２４に進む。そして、ステップＳ２４において、開閉制御部６３は、在宅演出制御プログラムの実行を終了する。
【００６７】
一方、開閉制御部６３は、予め設定された設定時間が経過していない場合には、「Ｎｏ」と判定して前記ステップＳ２１に戻り、前記ステップＳ２１以降の各ステップ処理を実行する。或いは、予め設定された設定時間が経過し、且つ、在宅演出モード選択スイッチ６１ｄからのスイッチ信号がオン状態のままであれば、「Ｎｏ」と判定して前記ステップＳ２１に戻り、前記ステップＳ２１以降の各ステップ処理を実行する。
【００６８】
以上の説明からも理解できるように、上記第一変形例の電動シャッター装置１においては、開閉制御部６３が、モータ３２の回転数を異ならせて隣接するスラット１０を相対移動させることにより、開口部１２を全開とする第一状態と、開口部１２を全開よりも小さい半開とする第二状態と、により、開口部１２を間欠的に開閉させることができる。又、開閉制御部６３は、不定期的に（ランダムに）、開口部１２を繰り返し開閉させることができる。
【００６９】
これらにより、この第一変形例においては、実際に住人が行う手動操作による手動開閉動作より自然に演出して（模して）、開閉制御部６３が開口部１２を開閉させることができるため、より確実に不法侵入者に建物Ｈに近づくことを躊躇させることができる。従って、不法侵入者が建物Ｈに近づくことを効果的に抑止することができて、防犯性をより高めることができる。
【００７０】
（第二変形例）
上記実施形態及び上記第一変形例においては、可動羽１００及び固定羽１０１を有し、且つ、固定羽１０１に開口部１２の設けられた複数のスラット１０から構成されるシャッターカーテン２０を備えた電動シャッター装置１を用いるようにした。これに代えて、図７に示すように、複数のスラット１３が連結部材１４によって上下方向の遊びを有して連結され、且つ、連結部材１４に開口部１５の設けられたシャッターカーテン２０を備えた電動シャッター装置１を用いることも可能である。
【００７１】
この第二変形例における電動シャッター装置１においても、シャッターカーテン２０は、上記実施形態及び第一変形例と同様に、帯状のスラット１３の幅方向の両端部が床面に設置された下枠５０から天井部分にかけて立設されるガイドレール４０に係合され、案内溝４０ａによってガイドされる。これにより、スラット１３は、案内溝４０ａに沿って移動可能且つ両端部を結ぶ軸線（図示省略）の回りに回転不能とされる。そして、ドラム３１及びドラム３１に巻き取られたスラット１３（シャッターカーテン２０）は、シャッターボックス３０内に収容されるようになっている。
【００７２】
この第二変形例におけるシャッターカーテン２０は、図７に示すように、複数のスラット１３と、下枠５０（床面）に当接する座板１６と、から構成されている。これにより、この第二変形例においても、座板１６が下枠５０（床面）に当接してシャッターカーテン２０（電動シャッター装置１）が閉じられた場合においては、例えば、モータ３２の回転がロックされて、建物Ｈの外部（室外）から、シャッターカーテン２０をシャッターボックス３０に向けて、即ち、上方に向けて持ち上げる（巻き取る）ことが不能になる。
【００７３】
この第二変形例において、シャッターカーテン２０を構成する複数のスラット１３は、それぞれ、図８及び図９に示すように、上側に位置するスラット１３と下側に位置するスラット１３とが、連結部材１４によって上下方向に遊びを有して連結される。そして、連結部材１４には、複数のスリット状の孔から構成される開口部１５が形成される。ここで、開口部１５を有する連結部材１４は、シャッターカーテン２０を構成する複数の連結部材１４のうち、少なくとも一つ以上設けられていれば良い。又、開口部１５は、連結部材１４（スラット１３）の幅方向のうち、一部が開口されることによって構成されても良い。更に、開口部１５は、スリット孔に金網等が設けられても良い。
【００７４】
次に、第二変形例における電動シャッター装置１の作動を説明する。「閉モード」においては、制御装置６０の開閉制御部６３は、閉指令を駆動回路６４に出力することにより、モータ３２が正転駆動してシャッターカーテン２０が引き出される。これにより、座板１６が下枠５０（床面）に当接するとともに各スラット１３が上下方向にて互いに接触した状態になり、電動シャッター装置１が閉じた状態になる。「開モード」においては、開閉制御部６３は、開指令を駆動回路６４に出力することにより、モータ３２が逆転駆動してシャッターカーテン２０が巻き取られる。
【００７５】
又、「開閉モード」においては、開閉制御部６３は、上記実施形態及び上記第一変形例における「開方向旋回指令」に相当する「離間指令」、又は、「閉方向旋回指令」に相当する「接近指令」を駆動回路６４に出力することにより、シャッターカーテン２０が閉じた状態で、モータ３２が所定の回転数だけ（連結部材１４の遊びの分だけ）逆回転して各スラット１３を互いに離間させる。これにより、開閉制御部６３が離間指令を出力した場合には、図８に示すように、スラット１３同士が上下方向にて互いに離間して開口部１５が露出する開状態になる。開状態においては、開口部１５を介して室外から室内に向けて光や風の通過が可能となる。一方、開閉制御部６３が接近指令を出力した場合には、図９に示すように、スラット１３同士が上下方向にて互いに接触して開口部１５が露出しない閉状態になる。閉状態においては、開口部１５を介して室外から室内に向けて光や風の通過が遮断される。尚、開口部１５を開状態又は閉状態に切り替える場合、座板１１が下枠５０（他側である床面）に当接した状態で行うようにするが、例えば、座板１１と下枠５０との間に人が通れない程度の隙間を設けた場合であっても、開口部１５を開状態又は閉状態に切り替えることが可能である。
【００７６】
更に、「開閉調整モード」においては、開閉制御部６３は、離間したスラット１３同士の間隔を小さくして全開（第一状態）の開口部１５の露出量よりも小さい半開（第二状態）の露出量となるように、上記第一変形例における「開量調整指令」に相当する「間隔調整指令」を駆動回路６４に出力する。これにより、開口部１５の全体を露出させるようにスラット１３同士が最大に離間した全開（第一状態）において、モータ３２を所定の回転数よりも少ない回転数だけ正回転させてスラット１３同士を接近させ、開口部１５を全開（第一状態）の露出量よりも小さい露出量となる半開（第二状態）にする。又は、スラット１３同士が互いに接触した閉状態において、モータ３２を所定の回転数よりも少ない回転数だけ逆回転させてスラット１３同士を離間させて、開口部１５を露出量の小さい半開（第二状態）にする。尚、第二変形例においては、開閉調整モードが実行された場合のシャッターカーテン２０は、シャッターボックス３０の側となる上部の複数のスラット１３の開口部１５のみが全開（第一状態）、又は、開口部１５の全部が半開（第二状態）になる。
【００７７】
従って、開閉制御部６３が、図５に示す上記実施形態の在宅演出制御プログラム、又は、図６に示す上記第一変形例の在宅演出制御プログラムを実行することにより、第二変形例の電動シャッター装置１を用いて上記実施形態及び上記第一変形と同様に「在宅演出モード」を実行することができる。従って、この第二変形例においても、上記実施形態及び上記第一変形例と同様の効果が得られる。
【００７８】
（第三変形例）
上記実施形態及び上記各変形例においては、開閉制御部６３は、在宅演出モード選択スイッチ６１ｄからオン状態のスイッチ信号を取得した場合に、図５又は図６に示した在宅演出制御プログラムを実行するようにした。これに代えて、開閉制御部６３が室外人感センサ６２ｃから人を検知したことを表す検出結果を取得することに応じて、在宅演出モードを実行することも可能である。以下、この第三変形例を説明する。
【００７９】
室外人感センサ６２ｃは、図１０に示すように、例えば、建物Ｈの外部（室外）であって敷地Ｓの門扉に設置される。これにより、室外人感センサ６２ｃは、人が門扉に近づいた場合、検出結果を制御装置６０の開閉制御部６３に出力する。
【００８０】
この第三変形例においては、在宅演出モードは、室外人感センサ６２ｃから開閉制御部６３に検出結果が入力されると設定される。具体的に、図５に示す在宅演出制御プログラムを実行している場合、開閉制御部６３は、前記ステップＳ１１にて、室外人感センサ６２ｃから検出信号を取得していれば、在宅演出モードが設定されるため、「Ｙｅｓ」と判定し、上記実施形態と同様に、前記ステップＳ１２以降の各ステップ処理を実行する。又、図６に示す在宅演出制御プログラムを実行している場合、開閉制御部６３は、前記ステップＳ２１にて、室外人感センサ６２ｃから検出結果を取得していれば、在宅演出モードが設定されるため、「Ｙｅｓ」と判定し、上記第一変形例と同様に、前記ステップＳ２２以降の各ステップ処理を実行する。
【００８１】
これにより、この第三変形例においては、住人が在宅演出モード選択スイッチ６１ｄを操作しなくても、室外人感センサ６２ｃが敷地Ｓの外部にて門扉に近づく人を検知することに連動して、自動的に在宅演出モードが設定される。そして、開閉制御部６３は、在宅演出モードの設定に応じて、図５及び図６に示す在宅演出制御プログラムを実行することができる。従って、この第三変形例においても、上記実施形態及び上記各変形例と同様の効果が得られる。
【００８２】
本発明の実施にあたっては、上記実施形態及び各変形例に限定されるものではなく、本発明の目的を逸脱しない限りにおいて、種々の変形が可能である。
【００８３】
例えば、上記実施形態においては、制御装置６０の開閉制御部６３が在宅演出制御プログラムの前記ステップＳ１２を実行するようにした。これに代えて、上記第一変形例と同様に、前記ステップＳ１２の実行を省略することも可能である。これにより、住人が在宅しているか否かに拘わらず、住人が在宅演出モードを選択することで、開閉制御部６３はスラット１０の可動羽１００を開閉モードにより作動させることができる。従って、侵入者の敷地内への侵入を抑止することができ、防犯効果を高めることができる。
【００８４】
又、上記実施形態においては、住人が不在の場合、即ち、室内人感センサ６２ｂの検出結果に応じて、在宅演出モードを実行するようにした。これに代えて、住人が在宅している場合にも、在宅演出モードを実行することが可能である。この場合、例えば、図５に示す在宅演出制御プログラムにおける前記ステップＳ１２を省略したり、或いは、住人が別室（例えば、風呂や寝室等）に移動して室内に不在となったりする場合にも在宅演出モードを実行することができる。
【００８５】
更に、上記実施形態及び上記各実施形態においては、開閉制御部６３が、操作部６１の在宅演出モード選択スイッチ６１ｄからオン状態のスイッチ信号を取得した場合、或いは、室外人感センサ６２ｃから検出結果を取得した場合に、図５又は図６に示す在宅演出制御プログラムを実行して在宅演出モードを実行するようにした。これに代えて、又は、加えて、例えば、住人が建物Ｈから外出する際に玄関が施錠された、より具体的に、住人がカードキー等を用いて玄関を施錠したことに起因して、開閉制御部６３が、図５又は図６に示す在宅演出制御プログラムを実行して在宅演出モードを実行することも可能である。
【符号の説明】
【００８６】
１…電動シャッター装置、１０…スラット、１１…座板、１２…開口部、１３…スラット、１４…連結部材、１５…開口部、１６…座板、２０…シャッターカーテン、３０…シャッターボックス、３１…ドラム、３２…モータ、４０…ガイドレール、４０ａ…案内溝、５０…下枠、６０…制御装置、６１…操作部、６１ａ…開スイッチ、６１ｂ…停止スイッチ、６１ｃ…閉スイッチ、６１ｄ…在宅演出モード選択スイッチ（選択部）、６２…検出部、６２ａ…当接検知センサ、６２ｂ…室内人感センサ、６２ｃ…室外人感センサ、６３…開閉制御部、６４…駆動回路、１００…可動羽、１００ａ…下前フック、１００ｂ…上前フック、１００ｃ…中前フック、１０１…固定羽、１０１ａ…上後フック、１０１ｂ…下後フック、１０１ｃ…突起、Ｈ…建物、Ｓ…敷地、Ｍ…窓部（建物開口）、ｘ…先端部、ｙ…当接面
【図１】
2019085853.tif 000003
【図２】
2019085853.tif 000004
【図３】
2019085853.tif 000005
【図４】
2019085853.tif 000006
【図５】
2019085853.tif 000007
【図６】
2019085853.tif 000008
【図７】
2019085853.tif 000009
【図８】
2019085853.tif 000010
【図９】
2019085853.tif 000011
【図１０】
2019085853.tif 000012